(57)【要約】      （修正有）【課題】電気機器の待機時間を判別し、学習し、設定し、待機電力を節減する機能と電力計測・表示機能を有する電源アダプタを提供することで電力節減し、環境問題への貢献をすることである。【解決手段】省電力電源アダプタは、入力接続部、出力接続部、使用量計測部、電気の供給または遮断を行うスイッチ、表示部、ＣＰＵ制御部、電源を有し、ＣＰＵ制御部が有する待機時間制御部が電気機器の待機時間の始めと終わりを決定し、待機時間において、スイッチをＯＦＦして、前記電気機器が消費する待機電力を低減する。【選択図】図１
2010198817.tif 000002
【特許請求の範囲】
【請求項１】
外部の電気配線に繋がる電気接続具に電気接続するための入力接続部と、
使用する電気機器の電気接続具を繋ぐ出力接続部と、
両者の間に直列に介挿された電流計と並列に介挿された電圧計を有する使用量計測部と、
前記使用量計測部と前記入力接続部の間、又は、前記出力接続部の間に接続され、電気の供給または遮断を行うスイッチと、
表示部と、
前記使用量計測部の計測の制御と、前記計測された電流と電圧から電力及び電力積の計算と、前記表示部への前記計算結果の表示の制御と、前記スイッチのＯＮ・ＯＦＦの制御とを行うＣＰＵ制御部と、
これらの稼働のための電力を供給する電源と、を有し、
前記ＣＰＵ制御部は、待機時間制御部とパラメータ設定部を有し、前記使用量計測部の計測した電流及び電圧から電力を計算し、前記待機時間制御部は、前記電力の値から前記電気機器の待機時間の始めと終わりを決定し、待機時間の始めには前記スイッチをＯＦＦし、電源を遮断し、待機時間の終わりには、前記スイッチをＯＮし、電源を接続することで、待機時間において前記電気機器が消費する待機電力を低減し、
前記パラメータ設定部は、前記計算された電力が比較されるために予め設定される電力の閾値、電力の時間的下降傾斜の閾値、待機時間の始め時刻、待機時間の終わりの時刻、待機時間の終わりを算定するための待機時間の始め時刻に加算される所定の時間、短い稼働停止について待機時間扱いをしないための待機時間の始めの時刻に加算される所定の時間のうち少なくとも一つを設定するものであることを特徴とする省電力電源アダプタ。
【請求項２】
前記待機時間の始めの時刻は、
１）    前記パラメータ設定部に予め設定した時刻
２）    前記計算された電力の値が予め前記パラメータ設定部に設定した閾値より小さくなった時刻
３）    前記計算された電力の値の時間的下降傾斜が予め前記パラメータ設定部に設定した傾斜値より大きくなった時刻
のいずれか一つで決定し、
待機時間の終わりの時刻は、
４）    前記パラメータ設定部に予め設定した時刻
５）    待機時間の始め時刻から所定の時間経過後の時刻
のいずれか一つで決定することを特徴とする請求項１記載の省電力電源アダプタ。
【請求項３】
前記待機時間の始めの時刻から、予め前記パラメータ設定部に設定した所定時間より長く、前記計算された電力の値が、待機時間に対応して予め前記パラメータ設定部に設定された値を下回り、継続した場合に真の待機時間の開始と決定することで短い稼働停止には待機時間扱いをしないことを特徴とする請求項１又は請求項２記載の省電力電源アダプタ。
【請求項４】
前記スイッチを駆動する手動スイッチを有することで、前記待機時間の始めと終わりにおける前記スイッチのＯＦＦとＯＮ動作を手動により可能とすることを特徴とする請求項１から請求項３のいずれか一つに記載の省電力電源アダプタ。
【請求項５】
前記出力接続部に電気機器のプラグを差し込んで、前記パラメータ設定部に前記電気機器又は使用者に応じたキー符号をセットすると、前記スイッチが入る状態になり、前記プラグを抜くと、前記プラグを差し込んでも新たにキー符号をセットしない限り、電源は入らないようにすることを特徴とする請求項１から請求項４のいずれか一つに記載の省電力電源アダプタ。
【請求項６】
前記電気機器の電源ＯＮ状態からＯＦＦ状態になり、再度ＯＮ状態への変化を検知する回路を前記電気機器が有し、前記電気機器から電力線通信または電波により、前記電源アダプタに設けられた受信部に前記検知信号を送信して、前記ＣＰＵ制御部に前記スイッチのＯＮ動作を行わせることを特徴とする請求項１から請求項５のいずれか一つに記載の省電力電源アダプタ。
【請求項７】
前記使用量計測部において読み込んだ電流値又は電圧値又は前記計算された電力値のデータ又は／及び、内蔵された温度センサ又は／及び震度センによる安全センサが読み込んだデータが、予め前記パラメータ設定部に設定した閾値に比較して異常である場合は、前記ＣＰＵ制御部が前記スイッチをＯＦＦする処置又は前記電気機器のプラグを外す処置を行うことを特徴とする請求項１から請求項６のいずれか一つに記載の省電力電源アダプタ。
【請求項８】
前記ＣＰＵ制御部は、前記計算された電力、電力積、換算された電気料金、換算された二酸化炭素排出量、安全データのいずれかを前記メモリに集積し、これらの値を時刻に対して履歴表示することを可能としたことを特徴とする請求項１から請求項７のいずれか一つに記載の省電力電源アダプタ。
【請求項９】
前記パラメータ設定部に予め設定された月間または時点の電力積目標をパラメータ設定した場合に、時点ごとに計測された電力積を履歴表示し、合わせて、各時点における目標値又は月間の目標の時点按分値を表示することで、両者を表示上で比較することを可能としたことを特徴とする請求項８記載の省電力電源アダプタ。
【請求項１０】
複数個の前記入力接続部、複数個の前記出力接続部、複数個の前記使用量計測部と、これらに共有した一つの表示部、一つのＣＰＵ制御部、一つの電源を有することを特徴とする請求項１から請求項９のいずれか一つに記載の省電力電源アダプタ。
【請求項１１】
複数の前記入力接続部は、壁コンセント又は／及びテーブルタップの複数の電気端子間隔と同じ間隔と対応サイズで配置することで、差し込みにより、壁コンセント又は／及びテーブルタップと一体接続を可能としたことを特徴とする請求項１から請求項１０のいずれか一つに記載の省電力電源アダプタ。
【請求項１２】
前記表示部は、表示を有効にした場合のみ表示し、表示をしないスリープ状態を可能とすることを特徴とする請求項１から請求項１１のいずれか一つに記載の省電力電源アダプタ。
【請求項１３】
前記スイッチは、ＯＮとＯＦＦの切り換えの瞬間のみ電力を消費し、同じ状態を保持しているときは電力を消費しないものであることを特徴とする請求項１から請求項１２のいずれか一つに記載の省電力電源アダプタ。
【請求項１４】
外部のコンピュータとのデータ入出力端子を有することを特徴とする請求項１から請求項１３のいずれか一つに記載の省電力電源アダプタ。
【発明の詳細な説明】
【技術分野】
【０００１】
本発明は、電気機器の待機時間を判別し、学習し、設定し、待機電力を節減する機能と電力計測・表示機能を有する省電力電源アダプタに関するものである。
【背景技術】
【０００２】
従来は、電気コンセントには、多数の電気機器が接続されて電力を消費してきたが、環境問題がクローズアップし、電力節減運動が企業の事務所、工場、家庭などで開始され、機器毎の消費電力を監視するようになってきている。そのような背景に合わせて、電気コンセントや電気接続端子と電気機器の間に介挿する電力計測・表示を行う電源アダプタに関する提案が多数行われている。
【０００３】
特許文献１には、計測表示手段を備えたコンセント形交流計測機器が提案されている。
電流、電力、積算電力量を計測・表示できる。特許文献２から特許文献７には、外部電源との接続をＯＮ・ＯＦＦするスイッチがついていて、諸条件に応じて電源の断続を行っている。特許文献２、特許文献３、特許文献８には、積算電力量から電力料金、二酸化炭素量換算値を計算し提供している。特許文献６、特許文献９、特許文献１０から特許文献１２には、識別符号またはＩＤＴＡＧを有し、個別のコンセントを識別できるものが提案されている。さらに計測した電力量等を通信する手段を持つものとして、特許文献３から特許文献５、特許文献９から特許文献１４が提案され、そのうち、特許文献３から特許文献５、特許文献８、特許文献１２、特許文献１４には、電力線通信手段が提示されている。このように、電気コンセントや電気接続端子と電気機器の間に介挿する電力計測・表示を行う電源アダプタには多くの提案がなされているのは、環境問題が熱い課題になっている証である。
【０００４】
電気機器の省電力化においては、さらに、待機時間における電気機器の電力消費が課題にあがっている。これらの機器では、常時、制御機器部や表示部の電源が入っていて、すぐに目的の動作できるようになっている。そのため、目的の動作時の電力より少ないが、いつでも電力を消費している。特に電気機器の制御を司る制御部は常時動作していることが多い。又、待機電力とは呼ばないが、同様な無駄では、シュレッダでは、切断のたびにモータが起動されている。切断ごとの間は、例え１秒でも、モータは止まり、次の切断の紙が入ると、紙の挿入を検知して、モータが起動する。起動電力は、切断動作より電力を食うので、電力を余分に消費している。この間は、逆に少ない電力で回転を維持しておいた方がよい。上記のような待機時間や停止時間における電気機器の電力消費を低減するものとしては、提案が見られない。特許文献１５には、待機時間の記述があるが、この中では、人体を感知する人体感知手段と電源を開閉するスイッチを有し、人体の消失を感知してからスイッチを開にするまでの時間を待機時間としているので、上記の待機時間とは別物である。
【先行技術文献】
【特許文献】
【０００５】
【特許文献１】特開平７−２１８５５５
【特許文献２】特開２００２−９８７１５
【特許文献３】特開２００２−４４７４８
【特許文献４】特開２００２−３６５３１２
【特許文献５】特開２００３−８８００４
【特許文献６】特開２００６−１４９０７５
【特許文献７】特開２００７−２２１９７２
【特許文献８】特開２００７−３２９７１９
【特許文献９】特開平１１−１４４１７７
【特許文献１０】特開２００１−２３６５８２
【特許文献１１】特開２００６−２４４８１８
【特許文献１２】特開２００６−２４５９８３
【特許文献１３】特開平６−３００７９０
【特許文献１４】特開２００１−２５６５８５
【特許文献１５】特開２００５−２７６５９５
【発明の概要】
【発明が解決しようとする課題】
【０００６】
本発明の課題は、電気機器の待機時間を判別し、学習し、設定し、待機電力を節減する機能と電力計測・表示機能を有する電源アダプタを提供することで電力節減し、環境問題への貢献をすることである。
【課題を解決するための手段】
【０００７】
本発明にかかる省電力電源アダプタは、入力接続部、出力接続部、使用量計測部、電気の供給または遮断を行うスイッチ、表示部、ＣＰＵ制御部、電源を有し、ＣＰＵ制御部が有する待機時間制御部が電気機器の待機時間の始めと終わりを決定し、待機時間において前記電気機器が消費する待機電力を低減する。以下説明する。
【０００８】
請求項１記載の発明は、省電力電源アダプタであって、外部の電気配線に繋がる電気接続具に電気接続するための入力接続部と、
使用する電気機器の電気接続具を繋ぐ出力接続部と、
両者の間に直列に介挿された電流計と並列に介挿された電圧計を有する使用量計測部と、
前記使用量計測部と前記入力接続部の間、又は、前記出力接続部の間に接続され、電気の供給または遮断を行うスイッチと、
表示部と、
前記使用量計測部の計測の制御と、前記計測された電流と電圧から電力及び電力積の計算と、前記表示部への前記計算結果の表示の制御と、前記スイッチのＯＮ・ＯＦＦの制御とを行うＣＰＵ制御部と、
これらの稼働のための電力を供給する電源と、を有し、
前記ＣＰＵ制御部は、待機時間制御部とパラメータ設定部を有し、前記使用量計測部の計測した電流及び電圧から電力を計算し、前記待機時間制御部は、前記電力の値から前記電気機器の待機時間の始めと終わりを決定し、待機時間の始めには前記スイッチをＯＦＦし、電源を遮断し、待機時間の終わりには、前記スイッチをＯＮし、電源を接続することで、待機時間において前記電気機器が消費する待機電力を低減し、
前記パラメータ設定部は、前記計算された電力が比較されるために予め設定される電力の閾値、電力の時間的下降傾斜の閾値、待機時間の始め時刻、待機時間の終わりの時刻、待機時間の終わりを算定するための待機時間の始め時刻に加算される所定の時間、短い稼働停止について待機時間扱いをしないための待機時間の始めの時刻に加算される所定の時間のうち少なくとも一つを設定するものであることを特徴とする。
【０００９】
請求項２記載の発明は、請求項１記載の省電力電源アダプタにおいて、前記待機時間の始めの時刻は、
１）    前記パラメータ設定部に予め設定した時刻
２）    前記計算された電力の値が予め前記パラメータ設定部に設定した閾値より小さくなった時刻
３）    前記計算された電力の値の時間的下降傾斜が予め前記パラメータ設定部に設定した傾斜値より大きくなった時刻
のいずれか一つで決定し、
待機時間の終わりの時刻は、
４）    前記パラメータ設定部に予め設定した時刻
５）    待機時間の始め時刻から所定の時間経過後の時刻
のいずれか一つで決定することを特徴とする。
【００１０】
請求項３記載の発明は、請求項１又は請求項２記載の省電力電源アダプタにおいて、
前記待機時間の始めの時刻から、予め前記パラメータ設定部に設定した所定時間より長く、前記計算された電力の値が、待機時間に対応して予め前記パラメータ設定部に設定された値を下回り、継続した場合に真の待機時間の開始と決定することで短い稼働停止には待機時間扱いをしないことを特徴とする。
【００１１】
請求項４記載の発明は、請求項１から請求項３のいずれか一つに記載の省電力電源アダプタにおいて、前記スイッチを駆動する手動スイッチを有することで、前記待機時間の始めと終わりにおける前記スイッチのＯＦＦとＯＮ動作を手動により可能とすることを特徴とする。
【００１２】
請求項５記載の発明は、請求項１から請求項４のいずれか一つに記載の省電力電源アダプタにおいて、前記出力接続部に電気機器のプラグを差し込んで、前記パラメータ設定部に前記電気機器又は使用者に応じたキー符号をセットすると、前記スイッチが入る状態になり、前記プラグを抜くと、前記プラグを差し込んでも新たにキー符号をセットしない限り、電源は入らないようにすることを特徴とする。
【００１３】
請求項６記載の発明は、請求項１から請求項５のいずれか一つに記載の省電力電源アダプタにおいて、前記電気機器の電源ＯＮ状態からＯＦＦ状態になり、再度ＯＮ状態への変化を検知する回路を前記電気機器が有し、前記電気機器から電力線通信または電波により、前記電源アダプタに設けられた受信部に前記検知信号を送信して、前記ＣＰＵ制御部に前記スイッチのＯＮ動作を行わせることを特徴とする。
【００１４】
請求項７記載の発明は、請求項１から請求項６のいずれか一つに記載の省電力電源アダプタにおいて、前記使用量計測部において読み込んだ電流値又は電圧値又は前記計算された電力値のデータ又は／及び、内蔵された温度センサ又は／及び震度センによる安全センサが読み込んだデータが、予め前記パラメータ設定部に設定した閾値に比較して異常である場合は、前記ＣＰＵ制御部が前記スイッチをＯＦＦする処置又は前記電気機器のプラグを外す処置を行うことを特徴とする。
【００１５】
請求項８記載の発明は、請求項１から請求項７のいずれか一つに記載の省電力電源アダプタにおいて、前記ＣＰＵ制御部は、前記計算された電力、電力積、換算された電気料金、換算された二酸化炭素排出量、安全データのいずれかを前記メモリに集積し、これらの値を時刻に対して履歴表示することを可能としたことを特徴とする。
【００１６】
請求項９記載の発明は、請求項８記載の省電力電源アダプタにおいて、前記パラメータ設定部に予め設定された月間または時点の電力積目標をパラメータ設定した場合に、時点ごとに計測された電力積を履歴表示し、合わせて、各時点における目標値又は月間の目標の時点按分値を表示することで、両者を表示上で比較することを可能としたことを特徴とする。
【００１７】
請求項１０記載の発明は、請求項１から請求項９のいずれか一つに記載の省電力電源アダプタにおいて、複数個の前記入力接続部、複数個の前記出力接続部、複数個の前記使用量計測部と、これらに共有した一つの表示部、一つのＣＰＵ制御部、一つの電源を有することを特徴とする。
【００１８】
請求項１１記載の発明は、請求項１から請求項１０のいずれか一つに記載の省電力電源アダプタにおいて、複数の前記入力接続部は、壁コンセント又は／及びテーブルタップの複数の電気端子間隔と同じ間隔と対応サイズで配置することで、差し込みにより、壁コンセント又は／及びテーブルタップと一体接続を可能としたことを特徴とする。
【００１９】
請求項１２記載の発明は、請求項１から請求項１１のいずれか一つに記載の省電力電源アダプタにおいて、前記表示部は、表示を有効にした場合のみ表示し、表示をしないスリープ状態を可能とすることを特徴とする。
【００２０】
請求項１３記載の発明は、請求項１から請求項１２のいずれか一つに記載の省電力電源アダプタにおいて、前記スイッチは、ＯＮとＯＦＦの切り換えの瞬間のみ電力を消費し、同じ状態を保持しているときは電力を消費しないものであることを特徴とする。
【００２１】
請求項１４記載の発明は、請求項１から請求項１３のいずれか一つに記載の省電力電源アダプタにおいて、外部のコンピュータとのデータ入出力端子を有することを特徴とする。
【発明の効果】
【００２２】
以上の様に構成されているので、本発明の省電力電源アダプタは、これに接続される電気機器の待機電力を低減することができる。
【図面の簡単な説明】
【００２３】
【図１】本発明にかかる省電力電源アダプタの一実施態様を示す図である。
【図２】本発明にかかる省電力電源アダプタにおいて待機時間の待機電力を低減する待機時間制御部１１０の動作を説明する図である。
【図３】図３は、モータの起動がある電気機器の消費電力と時間の関係を示す図である。
【発明を実施するための形態】
【００２４】
発明を実施するための最良の形態として、外部の電気配線に繋がる電気接続具に電気接続するための入力接続部と、使用する電気機器の電気接続具を繋ぐ出力接続部と、両者の間に直列に介挿された電流計と並列に介挿された電圧計を有する使用量計測部と、前記使用量計測部と前記入力接続部の間、又は、前記出力接続部の間に接続され、電気の供給または遮断を行うスイッチと、表示部と、前記使用量計測部の計測の制御と、前記計測された電流と電圧から電力及び電力積の計算と、前記表示部への前記計算結果の表示の制御と、前記スイッチのＯＮ・ＯＦＦの制御とを行うＣＰＵ制御部と、これらの稼働のための電力を供給する電源と、を有し、前記ＣＰＵ制御部は、待機時間制御部とパラメータ設定部を有し、前記使用量計測部の計測した電流及び電圧から電力を計算し、前記待機時間制御部は、前記電力の値から前記電気機器の待機時間の始めと終わりを決定し、待機時間の始めには前記スイッチをＯＦＦし、電源を遮断し、待機時間の終わりには、前記スイッチをＯＮし、電源を接続することで、待機時間において前記電気機器が消費する待機電力を低減するものである。以下に実施態様をもって説明する。
【実施例】
【００２５】
図１は、本発明にかかる省電力電源アダプタの一実施態様を示す図である。外部のコンセント等の入力接続具１０に電気接続するための入力接続部１０１とそれを外部の電気機器に出力するための出力接続部１０２と、両者の間に介挿された使用量計測部１０３と、使用量計測部１０３と入力接続部１０１の間又は出力接続部１０２の間に接続され、電気の供給または遮断を行うスイッチ１０４と、使用量計測部１０３の計測を行い、スイッチ１０４のＯＮ・ＯＦＦを制御するＣＰＵ制御部１０５と液晶などによる表示部１０６とこれらを駆動する電源１０７を有している。
【００２６】
使用量計測部１０３は、入力接続部１０１と出力接続部１０２との間に流れる電流を計測するために、両者の間に直列に入った電流計１０３Ａと、入力接続部１０１と出力接続部１０２との間の往復の２線間に並列に入った電圧計１０３Ｂを有していて、両者の計測値からその時点の電力が求められる。
ＣＰＵ制御部１０５は、タイマ１０８、メモリ１０９を有するものであり、待機時間制御部１１０と各種のパラメータを設定するパラメータ設定部１１１を有している。
【００２７】
図２は、本発明にかかる省電力電源アダプタにおいて待機時間の待機電力を低減する待機時間制御部１１０の動作を説明する図である。２−Ａ、２−Ｂ、２−Ｃ、２−Ｄにおいて横軸に時刻、縦軸に計測された電力、又は電流又は電圧が取られている。使用量計測部１０３で計測したものをＣＰＵ制御部１０５が、時刻と計測値をメモリ１０９に格納し、表示部１０６に表示したものである。
【００２８】
２−Ａにおいて、時刻Ａから時刻Ｂ間は、電気機器が稼働し、消費電力も大きい値を示している。Ａ以前とＢ以降の時間は、電気機器が本格稼働しない待機時間であり、消費電力は小さいが待機電力Ｘが消費されている。この待機電力Ｘは、例えば、夜間であったりすると長い時間で消費され無駄になっている。２−Ｂにおいて、待機時間制御部１１０が待機時間の始めと終わりを判定し、待機電力Ｘが消費されないようにＣＰＵ制御部１０５が、待機時間の始めにはスイッチ１０４をＯＦＦし電源を遮断し、待機時間終了には、スイッチ１０４をＯＮし、電源を接続する。各々以下のようにする。
待機時間の始めの決定は、以下のいずれかに基づき行う。
６）    夜間等所定の待機時間の始め時刻を設定する。２０時等
７）    使用電力の測定値が予め設定した閾値より小さくなったとき
８）    使用電力の測定値の時間的下降傾斜が予め設定した傾斜値より大きいとき
待機時間の終わりの決定は、以下のいずれかに基づき行う。
９）    朝、業務開始などの所定の時刻を設定する。８時等
１０）待機時間の始め時刻から所定の時間経過後の時とする。
勿論、待機時間の始めと終わりは、手動によりスイッチ１０４のＯＦＦとＯＮ動作でも、後に示す電気機器での手動による稼働でも可能である。
【００２９】
２−Ｃにおいて、稼働時間と待機時間が決まってないで交互に来る場合を示している。
この場合には、２−Ａと２−Ｂで決めた決定では瞬時の稼働停止にも待機時間と決定し対応してしまう。待機時間が所定の時間より短い場合は、スイッチ１０４はＯＦＦしない方がよい場合がある。このような場合に、２−Ａ、２−Ｂの場合と同様に、待機時間の始めの時刻の決定を行っただけでなく、加えて、待機時間の始めの時刻から予め設定した所定時間より長く、消費電力値が待機時間に対応して予め設定された値を下回り、継続した場合に真の待機時間の開始と決定する。このようにすることにより短い稼働停止には待機時間扱いをしないことが可能である。２−Ｄでは、このような扱いを行っているので、消費電力が低下して所定の時間後に真の待機時間開始として、スイッチ１０４をＯＦＦし電力を零にしている。稼働停止が短い場合は、スイッチ１０４はＯＮのままである。
【００３０】
尚、待機時間の終わりにより、稼働を開始する場合は、消費電力の大きい本格稼働の前に
電気機器の必要な部分を予め予備稼働する必要がある。これに備えて、待機時間の終わりが予め決まっている場合は、必要な時間だけ前に真の待機時間の終わりとして、電気機器を予備稼働しておくことができる。勿論、手動による予備稼働も可能である。
【００３１】
待機時間の終わりの時刻が定まっていないで、手動により電気機器が再度稼働させたい場合は、スイッチ１０４をＯＦＦしたままで、電気機器の電源を入れることになり、当然、電気機器は稼働開始できない。この問題を改善するためには以下のいずれかの手段を用いる。
１１）先にスイッチ１０４を稼働してから電気機器の稼働開始を行う。
１２）電気機器の電源ＯＮ状態から、一旦ＯＦＦ状態になり、再度ＯＮ状態への変化を検知する回路を電気機器に内蔵し、これはスイッチ１０４をＯＦＦにより電力が供給されない場合にバッテリーで駆動する。電気機器から電力線通信または電波により、電源アダプタに設けられた受信部に送信して、ＣＰＵ制御部１０５にスイッチ１０４のＯＮを指令する。このようにして、スイッチ１０４を接続することが可能である。
【００３２】
図３は、モータの起動がある電気機器の消費電力と時間の関係を示す図であり、例えばシュレッダの稼働を想定する。３−Ａでは、電力３０１Ａの時間グラフから５回の稼働があったことが読み取れる。モータのような機器は、起動時に大きな電流が流れるので、起動
電力が大きい。停止と起動を何回も重ねると消費電力は大きくなる。電力積３０２Ａが起動とともに大きく増えてしまう。３−Ｂでは、起動を１回にして、停止をせずに稼働を連続してしまった場合の電力３０１Ｂと電力積３０２Ｂを示している。このようにすると電力積が小さくできる。
【００３３】
ＣＰＵ制御部１０５には、パラメータ設定部１１１があったが、待機時間と決定するためのパラメータ、例えば、使用電力の測定値が比較される予め設定する閾値、使用電力の測定値が比較される電力の時間的下降傾斜、待機時間の始め時刻、待機時間の終わりの時刻、待機時間の始め時刻から所定の経過時間、待機時間の始めの時刻から予め設定する所定時間などがある。電源アダプタとしてのその他のパラメータとしては、安全手段のための過大電流値、過大電圧値、センサ温度値がある。その他の設定としては、使用者、電気機器キーの設定が可能である。これを設定すると、使用者毎または電気機器毎の使用量計測集計が行え、他の使用を排除することも可能である。例えば、電源アダプタに電気機器のプラグを差し込んで、電気機器キー符号をセットすると、電源が入る状態になり、プラグを抜くと、プラグを差し込んでも新たにキー符号をセットしない限り、電源は入らないようにする。すなわち、あらかじめ設定されたキー符号を知っているメンバーのみの使用が可能となる。又、キー符号を電源アダプタに挿入するカード等で与えることもできる。パラメータ設定部は、表示部１０６を見ながら設定のためのキーを電源アダプタに有してもよいし、データ入出力端子１１２を介して外部のコンピュータから入力することもできる。
【００３４】
安全手段は、使用量計測部１０３において電流値、電圧値を読み込み、温度センサ、震度センサ他の安全センサ１１３が対応する値を読み込んでいるので、パラメータ設定部１１１に設定した閾値に比較して異常である場合は、スイッチ１０４をＯＦＦする処置又はプラグ２０を外す処置をＣＰＵ制御部１０５が行う。尚、タイマ１０８は、通常の時計機能、時間のカウント機能などの計時機能を行うことは言うまでもない。
【００３５】
ＣＰＵ制御部１０５は、使用量計測部１０３での電流と電圧の計測の制御、安全手段からのデータの入手、各種パラメータの設定、計測値とパラメータとの比較、計算による表示部への表示、スイッチのＯＦＦ・ＯＮ、データ入出力端子を介したコンピュータとのデータの交換などを行う。特に電力、電力積の表示、電気料金への換算、二酸化炭素排出量への換算、安全データなどを集積し、これらの値を時間に対して履歴表示（ログ機能）し、さらに、消費電力が大きい順に使用パターンを示す、今までの好ましい電気機器の使用モードなど、低消費電力化を支援する機能を行う。又、電源アダプタには、複数のコンセントを有する場合には、表示部、ＣＰＵ制御部、安全サンサ、電源は１つで共有し、入力接続部、出力接続部、使用量計測部は、コンセントの数に対応するように複数あることが望ましく、各使用量計測部の計測値を表示する以外に、複数の使用量計測部での計測値を合算表示する機能をＣＰＵ制御部が行うことも可能である。尚、月間の使用目標をパラメータ設定すると、日にちや時間ごとに累積計測値が目標値をオーバしていないかを示してくれ、低電力化使用の目安を表示することも可能となる。
尚、壁コンセントやテーブルタップ側の各電気端子間隔と同じ間隔と対応サイズにし入力接続部を配置するとコンセントと電源アダプタが、差し込みにより一体接続できて便利である。
【００３６】
尚、さらに低消費電力化をするには、表示部１０６は、常時表示ではなく、表示を有効にした場合のみ表示し、後は、表示をしないスリープ状態にしておく方がよい。また、スイッチ１０４は、ＯＮとＯＦＦの切り換えの瞬間のみ電力を消費し、同じ状態を保持しているときは電力を消費しないものが好ましい。
【産業上の利用可能性】
【００３７】
以上のような本発明による省電力電源アダプタは、待機時間の電力消費を低減することが可能となり産業上利用性が極めて大きい。
【符号の説明】
【００３８】
１０  外部のコンセント等の入力接続具
２０  電気機器のプラグ
１０１  入力接続部
１０２  出力接続部
１０３  使用量計測部
１０３Ａ  電流計
１０３Ｂ  電圧計
１０４  スイッチ
１０５  ＣＰＵ制御部
１０６  表示部
１０７  電源
１０８  タイマ
１０９  メモリ
１１０  待機時間制御部
１１１  パラメータ設定部
１１２  データ入出力端子
１１３  安全センサ
３０１Ａ、３０１Ｂ  電力
３０２Ａ、３０２Ｂ  電力積
【図１】
2010198817.tif 000003
【図２】
2010198817.tif 000004
【図３】
2010198817.tif 000005